(57)【特許請求の範囲】
【請求項１】
像担持体と、少なくとも２つ以上の、現像剤担持体を具備する現像手段と、を有する多色画像形成装置において、
各色の画像比率に応じて、各色毎の画像形成時の前記像担持体と前記現像剤担持体の速度比率を変化させ、
前記各現像手段に応じて定められた画像比率Ｇth（Ｙ）、Ｇth（Ｍ）、Ｇth（Ｃ）、Ｇth（Ｋ）よりも小さい画像比率で画像を形成するときの前記像担持体の速度を、前記画像比率Ｇth（Ｙ）、Ｇth（Ｍ）、Ｇth（Ｃ）、Ｇth（Ｋ）よりも大きい画像比率で、前記小さい画像比率と同じ色の画像を形成するときの前記像担持体の速度よりも増加させることを特徴とする多色画像形成装置。
【請求項２】
前記現像手段は、前記現像剤担持体上の現像剤を規制部材により規制して、現像剤の薄層を形成し、該薄層に形成された現像剤を前記現像剤担持体と微小間隔を開けた前記像担持体と対面させることを特徴とする請求項１の多色画像形成装置。
【発明の詳細な説明】
【０００１】
【発明の属する技術分野】
本発明は、例えば複写機あるいはプリンタなどとされる電子写真方式あるいは静電記録方式の画像形成装置に関し、特に多色画像を形成する多色画像形成装置に関する。
【０００２】
【従来の技術】
従来から、多色画像形成装置には種々の方式が用いられており、例えば転写ドラムに転写材を巻き付ける方式や、中間転写体を用いる方式などが用いられている。さらに、各々のユニットの配置を容易にするために、感光体や中間転写体をベルト形状にする構成も用いられている。また、多様な転写材を用いるため、例えば図５に示すような、像担持体である感光体ベルト１０１および中間転写体である中間転写ドラム１１１を備えた多色画像形成装置もある。
【０００３】
図５に示す多色画像形成装置において、フルカラーの画像情報を不図示のコントローラーにおいてイエローＹ、マゼンタＭ、シアンＣ、ブラックＫの４色のイメージ情報に分解して、例えばＹの画像情報を露光装置１０２に入力する。露光装置１０２からはその入力情報にしたがって、予め帯電装置１１２にて表面を均一帯電されていた感光体ベルト１０１を露光し、色情報に応じた潜像を感光体ベルト１０１に形成する。
【０００４】
その後、Ｙの現像剤（トナー）を収容した現像手段である現像装置１０７Ｙにて、潜像をトナー像（粉体像）として感光体ベルト１０１上に可視化させる。引き続き、トナー像を１次転写装置１０９にて中間転写ドラム１１１に不図示の高圧電源などを用いて転写する。転写されずに感光体ベルト１０１に残ったトナーはクリーナ１０８にて回収する。このとき、２次転写装置１０３は中間転写ドラム１１１には当接していない状態に保持しておく。
【０００５】
同様の動作をＭ、Ｃ、Ｋの各色にて行ない、中間転写ドラム１１１上には、Ｙ、Ｍ、Ｃ、Ｋの４色の現像剤によるトナー像を形成する。その後、転写材Ｐが同期給送され、２次転写装置１０３により中間転写ドラム１１１上のトナー像が転写材Ｐに２次転写される。なお、このとき、２次転写で完全に転写材Ｐに転写されなかったトナーは中間転写体クリーニング装置１０４を当接することによって回収し、中間転写ドラム１１の表面をリフレッシュする。
【０００６】
その後、定着装置１０６にて転写材Ｐ上のトナー像が溶融定着され、フルカラー画像となる。
【０００７】
【発明が解決しようとする課題】
しかしながら、上記多色画像形成装置においては、文字などの比較的画像比率の低い画像、あるいは高い画像の場合でも、この多色画像形成装置の排出速度（以下、「スループット」という）は同一であり、インクジェット方式などの画像比率に応じてスループットが変化する装置に対して、特に小型の機種に関してはスループットが劣っている場合も生じつつあった。
【０００８】
特に、多色画像形成装置においては、ページ内の先端にフルカラーなどのロゴがあり、その後に黒の文章といったフルカラー画像と、ページ内が全面写真のようなフルカラー画像とにおいて、両者のスループットが同一であることもあった。
【０００９】
また、文字などの比較的画像比率の低いものに関しては、スループットがインクジェット方式などに比べて遅い場合があった。
【００１０】
さらに、全面画像などの画像比率の高い画像を現像するためには現像剤担持体の現像剤供給量を維持しなければならず、そのため現像剤担持体の速度を増加させていたが、その結果、現像剤の劣化および現像剤の短寿命化を引き起こすことがあった。
【００１１】
また上記構成の多色画像形成装置において、トルクアップを軽減した、小型で安価な多色画像形成装置が望まれていた。
【００１２】
従って、本発明の主な目的は、比較的画像比率の低い画像に対して高スループットが達成でき、画像比率の高い画像に対しても好適なスループットが達成できる多色画像形成装置を提供することである。
【００１３】
本発明の他の目的は、比較的画像比率の低い画像に対して、比較的簡単に高スループットを達成できる多色画像形成装置を提供することである。
【００１４】
本発明の他の目的は、現像剤の劣化を防止でき、現像剤の長寿命化を達成できる多色画像形成装置を提供することである。
【００１５】
本発明の他の目的は、トルクアップを軽減できる小型で安価な多色画像形成装置を提供することである。
【００１６】
【課題を解決するための手段】
上記目的は本発明に係る多色画像形成装置にて達成される。要約すれば、本発明は、像担持体と、少なくとも２つ以上の、現像剤担持体を具備する現像手段と、を有する多色画像形成装置において、
各色の画像比率に応じて、各色毎の画像形成時の前記像担持体と前記現像剤担持体の速度比率を変化させ、
前記各現像手段に応じて定められた画像比率Ｇth（Ｙ）、Ｇth（Ｍ）、Ｇth（Ｃ）、Ｇth（Ｋ）よりも小さい画像比率で画像を形成するときの前記像担持体の速度を、前記画像比率Ｇth（Ｙ）、Ｇth（Ｍ）、Ｇth（Ｃ）、Ｇth（Ｋ）よりも大きい画像比率で、前記小さい画像比率と同じ色の画像を形成するときの前記像担持体の速度よりも増加させることを特徴とする多色画像形成装置である。
【００１９】
前記現像手段は、前記現像剤担持体上の現像剤を規制部材により規制して、現像剤の薄層を形成し、該薄層に形成された現像剤を前記現像剤担持体と微小間隔を開けた前記像担持体と対面させることが好ましい。
【００２０】
【発明の実施の形態】
以下、本発明に係る多色画像形成装置を図面に則して更に詳しく説明する。
【００２１】
実施例１
本発明の第１実施例について図１により説明する。
【００２２】
まず、図１により、本実施例の多色画像形成装置の構成について説明する。
【００２３】
本実施例の多色画像形成装置は、図５に示して説明した従来例の多色画像形成装置と概略同様の構成を有しており、その略中央に、感光体ベルト駆動ローラ１０、バックアップローラ１２、および１次転写ローラ９に張架された像担持体としての感光体ベルト１を備えている。感光体ベルト１の周りには、各々の色の画像信号により変調されたレーザービームを走査する光学系の露光装置２３、帯電ローラあるいはコロナ帯電器などの帯電手段２１、イエローＹ、マゼンタＭ、シアンＣ、ブラックＫの各色用の現像手段としての現像器７Ｙ、７Ｍ、７Ｃ、７Ｋからなる現像装置７、ベルトクリーナ８、中間転写体である中間転写ドラム１１、中間転写ドラムクリーナ４、および２次転写ローラ３などを備えている。
【００２４】
なお、各色の現像器７Ｙ、７Ｍ、７Ｃ、７Ｋは、本実施例では、非接触の非磁性一成分現像器を用いた。
【００２５】
また、感光体ベルト駆動ローラ１０を駆動する感光体ベルト駆動装置４２、および、該感光体ベルト駆動装置４２に接続され、その回転数を制御する感光体ベルト制御装置４１、中間転写ドラム１１を駆動する中間転写ドラム駆動装置５２、該中間転写ドラム駆動装置４２に接続され、その回転数を制御する中間転写ドラム制御装置５１を備えている。
【００２６】
さらに、各現像器７Ｙ、７Ｍ、７Ｃ、７Ｋに、感光体ベルト１に対向して設けられている現像剤担持体である現像スリーブ７１Ｙ、７１Ｍ、７１Ｃ、７１Ｋをそれぞれ駆動する現像スリーブ駆動装置３２Ｙ、３２Ｍ、３２Ｃ、３２Ｋ、各現像スリーブ駆動装置３２Ｙ、３２Ｍ、３２Ｃ、３２Ｋに接続され、その回転数を制御する現像スリーブ制御装置３１Ｙ、３１Ｍ、３１Ｃ、３１Ｋを備えている。
【００２７】
そして、感光体ベルト制御装置４１、中間転写ドラム制御装置５１、および現像スリーブ制御装置３１Ｙ、３１Ｍ、３１Ｃ、３１Ｋはそれぞれ画像比率演算装置２２に接続されている。
【００２８】
上記の多色画像形成装置において、静電潜像を形成させるためのいわゆる画像入力信号Ｄが画像比率演算装置２２に入力され、ページ内あるいは連続するページ内における各々のページ内の画像比率を各色（Ｙ、Ｍ、Ｃ、Ｋ）ごとに演算する。
【００２９】
このとき、最大の画像印字領域に対しての比率を演算するのが一般的であるが、画像を保証するための領域に対しての演算を行なっても良いが、その限りではない。本実施例では、上記の最大の画像印字領域に対しての比率を各色に対して演算する。
【００３０】
ここでは、最大の画像比率を１００％として説明する。例えば、通常の文字書類では５％なので、本実施例では、説明上簡略化のため、黒の場合は黒が５％とし、カラーが５％の場合は、便宜的に、Ｙ、Ｍ、Ｃが各々５％とする。
【００３１】
また、写真などのピクトリアル画像がその書類の一部分に含まれている場合には、例えば、３０％〜７０％程度であると考えられる。しかし、カラーの比率はこの場合少なくなる。
【００３２】
帯電手段２１により、矢印方向に周回駆動されている感光体ベルト１を均一帯電する。次いで露光装置２３からの光信号が感光体ベルト１に結像され、各色の潜像となる。
【００３３】
画像比率演算装置２２からの情報は、感光体ベルト制御装置４１に導かれ、画像比率に応じて感光体ベルト駆動装置４２の回転数を制御する。
【００３４】
本実施例では、感光体ベルト１の周速は４８ｍｍ／ｓ〜１８８ｍｍ／ｓまで感光体ベルト駆動装置４２で連続的に変化させることができる。
【００３５】
また、画像比率演算装置２２からの各色の情報は現像スリーブ制御装置３１Ｙ、３１Ｍ、３１Ｃ、３１Ｋに導かれ、画像比率に応じた各色の現像スリーブ駆動装置３２Ｙ、３２Ｍ、３２Ｃ、３２Ｋにより現像スリーブ７１Ｙ、７１Ｍ、７１Ｃ、７１Ｋの回転数を制御する。なお、本実施例では、各色現像器の現像スリーブ７１Ｙ、７１Ｍ、７１Ｃ、７１Ｋの周速を４８ｍｍ／ｓ〜１８８ｍｍ／ｓの範囲で変化させることができる。
【００３６】
こうして、感光体ベルト１に形成された、例えばＹの潜像はイエロー用現像器７Ｙにて現像剤（トナー）により可視化されたトナー像として形成される。
【００３７】
各々の色情報は引き続きＭ、Ｃ、Ｋの色現像剤により可視化され、中間転写体ドラム１１上に１次転写される。
【００３８】
一方、転写材Ｐが給紙ローラ対５によって中間転写体ドラム１１の周速に対応して給紙搬送され、中間転写ドラム１１上に形成されたトナー像が２次転写ローラ３の作用によって転写材Ｐに２次転写される。本実施例では、転写材としてＡ４サイズの例を示す。
【００３９】
さらに、転写材Ｐは定着装置６に搬送され、ここで現像剤像が転写材Ｐに溶融定着される。本実施例のトナーの定着性は４８ｍｍ／ｓ〜１８８ｍｍ／ｓまで問題ないために、その制御は特に給紙搬送速度に応じて変化させることは必要ないが、画像比率に応じてその制御温度、加圧力などを変化させることを行なうと、種々の転写材にもきめ細かく対応できることはいうまでもない。
【００４０】
露光装置２３はレーザービーム走査光学系を用いたが、この速度も感光体ベルト１の回転に同期して、走査密度が変化しないように回転制御させた。しかし、容易に類推できるように、ＬＥＤなどの自己走査光学系を用いると、感光体ベルト１の周速の変化に応じて、露光量を一定にすることが容易となるし、また、レーザスキャナに見られるような回転変化の遅延がなく、瞬時に制御ができる。
【００４１】
つぎに、下記の表１に、本実施例において、画像比率（平均値）に応じて、現像スリーブと感光体ベルトの周速を変えたときのスループットを示す。なお、上記のように、便宜的にＹ＝Ｍ＝Ｃの画像比率とした。また、比較例として、従来例の場合を示した。
【００４２】
【表１】
0003762165.tif 000002
表１に示したように、比較例では画像比率によらず、スループットは一定である。すなわち、黒は８ｐｐｍ、フルカラーは２ｐｐｍであった。
【００４３】
本実施例においては、各々のカラーの画像比率に応じてスループットが最適化でき、黒は８ｐｐｍ〜２４ｐｐｍ、フルカラーは２ｐｐｍ〜６ｐｐｍで現像器の能力を最大限に引き出す形で実現できた。
【００４４】
これまで説明してきたように、画像比率に応じて、現像スリーブと感光体ベルトの速度比率を変化させるによって、現像剤劣化を極力防ぎつつ、スループットを最大限に引き出すことに大変有効であることが理解できる。
【００４５】
本実施例では、レーザースキャナを用いたために、１〜５枚の平均値で各々の回転速度を制御したが、これにとどまらず、ページごとに変化させたり、ページごとに重みをつけて制御することも容易にできることが推察できる。また、外部の信号により、本実施例に示したような制御を行なうことができる。
【００４６】
また、ＬＥＤなどの自己走査系の露光装置ではきめの細かい制御が可能である。
【００４７】
また、本実施例では、非接触の非磁性一成分現像装置を用いて説明を行なったが、二成分磁気ブラシ現像装置や接触一成分現像装置などを用いても、同様に、本実施例が成り立つことはいうまでもない。
【００４８】
実施例２
つぎに、本実施例の第２実施例について図２により説明する。
【００４９】
図２に示す本実施例の多色画像形成装置は、第１実施例と概略同様の構成であるが、現像スリーブ制御装置３１Ｙ、３１Ｍ、３１Ｃ、３１Ｋを不要としている。なお、前出の部材と同様の動作をする部材には同一符号を付し、説明は省略する。
【００５０】
本実施例では、各色の現像器７Ｙ、７Ｍ、７Ｃ、７Ｋに応じて定められた画像比率Ｇth（Ｙ）、Ｇth（Ｍ）、Ｇth（Ｃ）、Ｇth（Ｋ）を有しており、この各色の画像比率よりも小さい画像比率に対しては、感光体ベルト１の速度を、少なくとも１色以上が該画像比率Ｇth（Ｙ）、Ｇth（Ｍ）、Ｇth（Ｃ）、Ｇth（Ｋ）よりも大きい状態における感光体ベルトの速度よりも増加させることを特徴とするものである。
【００５１】
この画像比率Ｇth（Ｙ）、Ｇth（Ｍ）、Ｇth（Ｃ）、Ｇth（Ｋ）は、各色に対して、７０％〜全面１００％にて十分に濃度がでるために最低限必要な画像比率と定義され、本実施例では、濃度＝１．１をその基準とした。
【００５２】
また、本実施例においては、５ページの連続した書類を想定して、その平均の各々の色における画像比率の演算を画像比率演算装置６２で行なった。
【００５３】
ここで、現像スリーブの周速は７２ｍｍ／ｓと一定とし、また各色に対して一定の画像比率Ｇth（Ｙ）、Ｇth（Ｍ）、Ｇth（Ｃ）、Ｇth（Ｋ）とし、説明を簡略化するために同一の値、すなわち、Ｇth（Ｙ）＝Ｇth（Ｍ）＝Ｇth（Ｃ）＝Ｇth（Ｋ）＝６９％を用いた。
【００５４】
上記のように、本実施例では、現像スリーブ７１Ｙ、７１Ｍ、７１Ｃ、７１Ｋの周速は一定として、感光体ベルト１の周速を変化させた。
【００５５】
下記の表２に、本実施例において、画像比率（平均値）に応じて、感光体ベルトの周速を変えたときのスループットを示す。また、比較例として、第１実施例と同様に、従来例の場合を示す。
【００５６】
【表２】
0003762165.tif 000003
各色に対して、画像比率６９％であると画像比率演算装置６２が判断すると、感光体ベルト駆動制御装置４１から感光体ベルト駆動装置４２に４８ｍｍ／ｓから１４４ｍｍ／ｓへの増速命令が出て、結果的に表２に示すように、フルカラーにおいては、２ｐｐｍ〜６ｐｐｍ、黒に関しては８ｐｐｍ〜２４ｐｐｍのスループット（概算）を得ることができる。
【００５７】
このＧth（Ｙ）、Ｇth（Ｍ）、Ｇth（Ｃ）、Ｇth（Ｋ）の定義は、各色に対して、７０％〜全面１００％が十分に濃度がでるために最低限必要な画像比率であり、本実施例では、濃度＝１．１をその基準とした。
【００５８】
各々の色に対して、画像比率が低い場合には、現像剤の供給量が多くても十分に現像できるために、スループットの増速に大変有効である。
【００５９】
なお、本実施例として、第１実施例と同様の非接触非磁性一成分現像装置を用いたが、この画像比率Ｇth（Ｙ）、Ｇth（Ｍ）、Ｇth（Ｃ）、Ｇth（Ｋ）は、用いる現像装置によって異なり、また、感光体ベルト１の増速も本実施例と異なることはいうまでもなく、その場合にも本発明は成立する。
【００６０】
実施例３
つぎに、本発明の第３実施例について図３により説明する。
【００６１】
図３に示す本実施例の多色画像形成装置は、第１実施例と概略同様の構成を備えており、画像比率制御装置の作用が異なっている。なお、前出の部材と同様の動作をする部材には同一符号を付し、説明は省略する。
【００６２】
本実施例は、各色の現像器７Ｙ、７Ｍ、７Ｃ、７Ｋに応じて定められた画像比率Ｇdth（Ｙ）、Ｇdth（Ｍ）、Ｇdth（Ｃ）、Ｇdth（Ｋ）を有しており、この各々の画像比率よりも小さい画像比率に対しては、各色の現像スリーブ７１Ｙ、７１Ｍ、７１Ｃ、７１Ｋの速度を、画像比率Ｇdth（Ｙ）、Ｇdth（Ｍ）、Ｇdth（Ｃ）、Ｇdth（Ｋ）以下の状態における現像スリーブ７１Ｙ、７１Ｍ、７１Ｃ、７１Ｋの速度よりも減少させることを特徴とする。
【００６３】
画像比率Ｇdth（Ｙ）、Ｇdth（Ｍ）、Ｇdth（Ｃ）、Ｇdth（Ｋ）は、本実施例では一定の６９％としたが、この値は用いる現像器に依存しているので、実験により求められるものである。第２実施例にて説明したように、少なくとも、濃度＝１．１が維持できる状態が好ましいと考えられる。
【００６４】
本実施例においても、５ページの連続した書類を想定して、各色に対して、その平均の画像比率の演算を画像比率演算装置７２で行なった。
【００６５】
本実施例では、感光体ベルト１の速度は一定として各現像器の現像スリーブ７１Ｙ、７１Ｍ、７１Ｃ、７１Ｋの周速を変化させた。
【００６６】
下記の表３に、本実施例において、画像比率（平均値）に応じて、感光体ベルト１の周速を一定として現像スリーブ７１Ｙ、７１Ｍ、７１Ｃ、７１Ｋの周速を変えたときの現像器寿命をページ数にて示した。また、比較例として、従来例の場合を示す。
【００６７】
【表３】
0003762165.tif 000004
本実施例においては、スループットは一定のフルカラー６ｐｐｍ、黒２４ｐｐｍであるが、各色の現像器の寿命が異なっている。
【００６８】
一般的に、現像器の寿命は、現像剤、現像スリーブなどの構成部材の劣化に比例しており、その劣化は現像スリーブの周速に依存しているのは、当業者には周知の事実である。すなわち、濃度の高いところを維持するために、現像スリーブの周速を最大のスループット（本実施例では、フルカラー６ｐｐｍ、黒２４ｐｐｍ）に合わせて設計すると、現像剤などの劣化が早くなり、現像剤が多く残っているにも関らず、その現像性が劣化してしまっていた。
【００６９】
本実施例のように、画像比率に応じて現像スリーブの周速を変化させることにより、濃度が維持でき、かつ現像器の寿命を最大限に維持することが可能となる。
【００７０】
本実施例の他の一態様として、図４に示すインライン型の画像形成装置も挙げられる。
【００７１】
図４に示すように、イエローＹ、マゼンタＭ、シアンＣ、ブラックＫの画像形成ステーションＹ、Ｍ、Ｃ、Ｋを転写搬送ベルト１１７に沿って並置した構成を備えている。そして、像担持体１１１Ｙ、１１１Ｍ、１１１Ｃ、１１１Ｋを帯電装置１１２Ｙ、１１２Ｍ、１１２Ｃ、１１２Ｋで帯電した後に露光装置１１３Ｙ、１１３Ｍ、１１３Ｃ、１１３Ｋによりおのおのの像担持体１１１Ｙ、１１１Ｍ、１１１Ｃ、１１１Ｋに各色の色情報に応じた潜像を形成させる。その後、現像装置１１４Ｙ、１１４Ｍ、１１４Ｃ、１１４Ｋにより各潜像を現像剤により粉体像として可視化する。
【００７２】
ついで、各像担持体１１１Ｙ、１１１Ｍ、１１１Ｃ、１１１Ｋに対向配置された転写装置１１５Ｙ、１１５Ｍ、１１５Ｃ、１１５Ｋにより転写搬送ベルト１１７に吸着搬送させた転写材Ｐ上におのおのの像担持体１１１Ｙ、１１１Ｍ、１１１Ｃ、１１１Ｋに形成した粉体像を重畳転写させ、定着手段としての定着器１１８により未定着の粉体像を転写材Ｐに固定する。
【００７３】
転写後に各像担持体１Ｙ、１Ｍ、１Ｃ、１Ｋに残留した現像剤はクリーニング装置１１６Ｙ、１１６Ｍ、１１６Ｃ、１１６Ｋにより除去される。
【００７４】
また図４に示すように、搬送ベルト駆動ローラ１２０を駆動する搬送ベルト駆動装置１１５２、および、該搬送ベルト駆動装置１１５２に接続され、その回転数を制御する搬送ベルト制御装置１１５１を備えている。
【００７５】
さらに、各現像スリーブ１１４１Ｙ、１１４１Ｍ、１１４１Ｃ、１１４１Ｋをそれぞれ駆動する現像スリーブ駆動装置１１３２Ｙ、１１３２Ｍ、１１３２Ｃ、１１３２Ｋ、各現像スリーブ駆動装置１１３２Ｙ、１１３２Ｍ、１１３２Ｃ、１１３２Ｋに接続され、その回転数を制御する現像スリーブ制御装置１１３１Ｙ、１１３１Ｍ、１１３１Ｃ、１１３１Ｋを備えている。
【００７６】
そして、搬送ベルト制御装置１１５２、および現像スリーブ制御装置１１３１Ｙ、１１３１Ｍ、１１３１Ｃ、１１３１Ｋはそれぞれ画像比率演算装置１１７２に接続されている。
【００７７】
上記構成の多色画像形成装置においても、画像比率により現像スリーブの周速を変化させることにより、濃度が維持でき、現像器の寿命を最大限に維持することが可能となる。
【００７８】
実施例４
つぎに、本発明の第４実施例について説明する。
【００７９】
本実施例は、現像剤担持体上の現像剤を規制部材により規制して、現像剤の薄層を形成し、該薄層に形成された現像剤を現像剤担持体と微小間隙を開けた像担持体と対面させることを特徴とする現像装置を有することを特徴とする。
【００８０】
上記実施例で、像担持体や現像剤担持体の速度をその画像比率に応じて変化させてきたが、このとき容易に想像できるように、現像装置のトルクが大きいとそのように変化させることは容易でない。
【００８１】
また、二成分現像装置のように、像担持体と現像剤担持体がカウンターで回転している場合などにおいては、その摺擦トルクは大きくなる。また、一成分接触現像装置においても同様である。
【００８２】
言い換えると、本実施例のように、現像剤担持体上の現像剤を規制部材により規制して現像剤の薄層を形成し、上記薄層に形成された現像剤を現像剤担持体と微小間隙を開けた像担持体と対面させることにより、容易に像担持体や現像剤担持体をその画像比率に応じて容易に変化させることができる。
【００８３】
【発明の効果】
以上の説明から明らかなように、本発明によれば、複数の各色の画像比率に応じて、像担持体と現像剤担持体の速度比率を変化させることにより、比較的画像比率の低い画像に対して高スループットが達成でき、画像比率の高い画像に対しても好適なスループットが達成でき、また、比較的画像比率の低い画像に対して、比較的簡単に高スループットを達成でき、さらに、現像剤の劣化を防止でき、現像剤の長寿命化を達成でき、また、トルクアップを軽減できる小型で安価な多色画像形成装置を提供できる。
【図面の簡単な説明】
【図１】本発明の第１実施例に係る多色画像形成装置を示す概略構成図である。
【図２】本発明の第２実施例に係る多色画像形成装置を示す概略構成図である。
【図３】本発明の第３実施例に係る多色画像形成装置を示す概略構成図である。
【図４】第３実施例の変形例の多色画像形成装置を示す概略構成図である。
【図５】従来の多色画像形成装置の一例を示す概略構成図である。
【符号の説明】
１                              感光体ベルト（像担持体）
７Ｙ、７Ｍ、７Ｃ、７Ｋ          現像器（現像手段）
７１Ｙ、７１Ｍ、７１Ｃ、７１Ｋ  現像スリーブ（現像剤担持体）
【図１】
0003762165.tif 000005
【図２】
0003762165.tif 000006
【図３】
0003762165.tif 000007
【図４】
0003762165.tif 000008
【図５】
0003762165.tif 000009